(57)【要約】【課題】入射角度によって生じるスポット特性の悪化を低減し、斜入射においても良好なスポット特性が得られる対物レンズ及びその対物レンズを用いた光ディスク装置を提供する。【解決手段】光軸を中心とした同心円状に分割され、それぞれ異なる非球面形状を有する輪帯状の区間を有し、波長λ１のレーザ光と波長λ２のレーザ光とをそれぞれのレーザ光に対応する光記録媒体の情報記録面上に集光させる共用領域と、波長λ１のレーザ光を前記第１の光記録媒体の情報記録面上に集光させる専用領域とを有する対物レンズであって、その非球面形状は波長λ１のレーザ光と波長λ２のレーザ光をそれぞれのレーザ光に対応する光記録媒体の情報記録面上に集光させ、専用領域内に位置する非球面形状における対物レンズと光軸との交点を有する区間との位相シフト量が、波長の５倍以上１０倍以下である対物レンズ。【選択図】  図３
2007273060.tif 000002
【特許請求の範囲】
【請求項１】
第１のレーザから出射され、第１の光記録媒体の情報記録面上に集光する波長λ１のレーザ光と、第２のレーザから出射され、第２の光記録媒体の情報記録面上に集光する、前記波長λ１よりも長い波長λ２のレーザ光とが入射される対物レンズであって、
前記対物レンズは、前記波長λ１のレーザ光を前記第１の光記録媒体の情報記録面上に集光させ、かつ、前記波長λ２のレーザ光を前記第２の光記録媒体の情報記録面上に集光させる共用領域と、前記共用領域の周辺に位置し、前記波長λ１のレーザ光を前記第１の光記録媒体の情報記録面上に集光させる専用領域とを有し、
前記対物レンズは、光軸を中心とした同心円状の複数の区間に分割され、それぞれが異なる非球面形状を有する輪帯状の区間を有し、前記非球面形状は、前記波長λ１のレーザ光を前記第１の光記録媒体の情報記録面上に集光させ、かつ前記前記波長λ２のレーザ光を前記第２の光記録媒体の情報記録面上に集光させ、
前記専用領域内に位置する非球面形状における、前記対物レンズと前記光軸との交点を有する区間との位相シフト量が、波長の５倍以上１０倍以下であることを特徴とする対物レンズ。
【請求項２】
前記第１のレーザと前記第２のレーザとを有する光モジュールを用いることを特徴とする請求項１に記載の対物レンズ。
【請求項３】
前記第１のレーザと前記第２のレーザとを前記対物レンズの光軸に対して垂直な方向に並列して配置することを特徴とする、請求項１又は請求項２に記載の対物レンズ。
【請求項４】
前記第１のレーザを前記対物レンズの光軸上に配置することを特徴とする、請求項１又は請求項２に記載の対物レンズ。
【請求項５】
前記波長λ１は略６５５ｎｍであり、前記波長λ２は略７８５ｎｍであることを特徴とする、請求項１乃至請求項４のいずれか一項に記載の光ピックアップレンズ。
【請求項６】
第１の光記録媒体の情報記録面上に集光する波長λ１のレーザ光を出射する第１のレーザと、
前記波長λ１よりも長く、第２の光記録媒体の情報記録面上に集光する波長λ２のレーザ光を出射する第２のレーザと、
前記波長λ１の光束が前記第１の光記録媒体に集光する際に生じる収差と、前記波長λ２の光速が前記第２の光記録媒体に集光する際に生じる収差とを補償するために、光軸を中心とする同心円状の輪帯構造を有し、前記波長λ１のレーザ光を前記第１の光記録媒体の情報記録面上に集光させ、かつ、前記波長λ２のレーザ光を前記第２の光記録媒体の情報記録面上に集光させる共用領域と、前記共用領域の周辺に位置し、前記波長λ１のレーザ光を前記第１の光記録媒体の情報記録面上に集光させる専用領域とを有している対物レンズとを有する光ディスク装置であって、
前記対物レンズは、前記専用領域内に位置する輪帯構造における、前記対物レンズと前記光軸との交点を有する区間との位相シフト量が、波長の５倍以上１０倍以下であるであることを特徴とする光ディスク装置。
【請求項７】
前記第１のレーザと前記第２のレーザは、一つの光モジュール内に設けられることを特徴とする請求項６に記載の光ディスク装置。
【請求項８】
前記第１のレーザと前記第２のレーザとを前記対物レンズの光軸に対して垂直な方向に並列して配置することを特徴とする、請求項６又は請求項７に記載の光ディスク装置。
【請求項９】
前記第１のレーザを前記対物レンズの光軸上に配置することを特徴とする、請求項６又は請求項７に記載の光ディスク装置。
【請求項１０】
前記波長λ１は略６５５ｎｍであり、前記波長λ２は略７８５ｎｍであることを特徴とする、請求項６乃至請求項９のいずれか一項に記載の光ディスク装置。
【発明の詳細な説明】
【技術分野】
【０００１】
本発明は対物レンズ及びその対物レンズを用いた光ディスク装置に関する。特に複数種類の光記録媒体に対応できる互換型の対物レンズ、及びその対物レンズを用いた光ディスク装置に関するものである。-
【背景技術】
【０００２】
現在、光ディスクに関しては、記録面を覆う透明基板（保護層）の厚さや記録密度が異なる複数の規格が並存している。例えば、記録密度が低いＣＤやＣＤ−Ｒの保護層の厚さは１．２ｍｍであるのに対し、記録密度が高いＤＶＤの保護層の厚さはＣＤの保護層の厚みの半分である０．６０ｍｍである。
【０００３】
ＤＶＤの記録・再生には、記録密度を高くするためにビームスポット径を小さく絞らなければならない。そのためには、６３５〜６６０ｎｍ程度の短波長のレーザ光を利用する必要がある。一方、ＣＤ−Ｒの記録・再生にはその反射特性から７８０ｎｍ程度の長波長のレーザ光を利用する必要がある。
【０００４】
これらの光ディスクはユーザーによって混在して利用されるため、光ディスク装置はいずれの規格の光ディスクにおいても利用可能であることが望ましい。そのため、ＤＶＤとＣＤ−Ｒとを共に利用することのできる光ディスク装置は、それぞれの光ディスク対応した波長のレーザ光を発する２つのレーザを備える必要がある。
【０００５】
また、光ディスク装置の小型化のためには、対物レンズを含む光ヘッドの光学系もできる限りコンパクトであることが望ましい。さらに、光源についても２つのレーザを１つのパッケージに組み込んだモジュールを利用することが望ましい。また、対物レンズ等の光学素子については、２つの波長において使用することが可能であるとよい。また、特許文献１においては、回折格子を用いることによって、２つの波長において使用することが可能な対物レンズが開示されている。
【特許文献１】特開２００４−１７１７７１号公報
【発明の開示】
【発明が解決しようとする課題】
【０００６】
しかしながら、２つのレーザを１つのパッケージに組み込んだモジュールを使用する場合には、一般的に各レーザの発光点が対物レンズの光軸に対して垂直方向に並列するため、２つの波長のレーザ光の対物レンズに対する入射角度を両方とも０度にすることができないという問題点がある。一般的に、対物レンズは光軸に平行な光が入射されたときに波面収差が最小になるように設計されている。そのため、２つの波長のレーザ光において対物レンズに対する入射角度が生じると波面収差が増大してしまう。従って、２つの波長のレーザにおいて波面収差が許容範囲となるようバランスをとりながら対物レンズに対する入射角度を設定する必要がある。
【０００７】
また、光ディスク装置にこのモジュールを搭載した場合に、一方のレーザを光軸上にあわせると、他方のレーザが光軸から外れたところに位置するために、他方のレーザにおけるスポット特性が悪化するという問題点がある。
【０００８】
そこで、本発明はこのような問題点を解決するためになされたものであり、入射角度によって生じるスポット特性の悪化を低減し、斜入射においても良好なスポット特性が得られる対物レンズ及びその対物レンズを用いた光ディスク装置を提供することを目的とする。
【課題を解決するための手段】
【０００９】
本発明の第１の態様に係る対物レンズは、第１のレーザから出射され、第１の光記録媒体の情報記録面上に集光する波長λ１のレーザ光と、第２のレーザから出射され、第２の光記録媒体の情報記録面上に集光する、前記波長λ１よりも長い波長λ２のレーザ光とが入射される対物レンズであって、前記対物レンズは、前記波長λ１のレーザ光を前記第１の光記録媒体の情報記録面上に集光させ、かつ、前記波長λ２のレーザ光を前記第２の光記録媒体の情報記録面上に集光させる共用領域と、前記共用領域の周辺に位置し、前記波長λ１のレーザ光を前記第１の光記録媒体の情報記録面上に集光させる専用領域とを有し、前記対物レンズは、光軸を中心とした同心円状の複数の区間に分割され、それぞれが異なる非球面形状を有する輪帯状の区間を有し、前記非球面形状は、前記波長λ１のレーザ光を前記第１の光記録媒体の情報記録面上に集光させ、かつ前記前記波長λ２のレーザ光を前記第２の光記録媒体の情報記録面上に集光させ、前記専用領域内に位置する非球面形状における、前記対物レンズと前記光軸との交点を有する区間との位相シフト量が、波長の５倍以上１０倍以下であることを特徴とするものである。この対物レンズを用いることによって、斜入射による光スポットの特性の悪化を低減することができる。
【００１０】
本発明の第２の態様に係る対物レンズは、上述の対物レンズであって、前記第１のレーザと前記第２のレーザとを有する光モジュールを用いることを特徴とするものである。本発明の第３の態様に係る対物レンズは、前記第１のレーザと前記第２のレーザとを前記対物レンズの光軸に対して垂直な方向に並列して配置することを特徴とするものである。本発明の第４の態様に係る対物レンズは、第１の態様又は第２の態様に係る対物レンズであって、前記第１のレーザを前記対物レンズの光軸上に配置することを特徴とするものである。本発明の第５の態様に係る対物レンズは、上述の対物レンズであって、前記波長λ１は略６５５ｎｍであり、前記波長λ２は略７８５ｎｍであることを特徴とするものである。
【００１１】
本発明の第６の態様に係る光ディスク装置は、第１の光記録媒体の情報記録面上に集光する波長λ１のレーザ光を出射する第１のレーザと、前記波長λ１よりも長く、第２の光記録媒体の情報記録面上に集光する波長λ２のレーザ光を出射する第２のレーザと、前記波長λ１の光束が前記第１の光記録媒体に集光する際に生じる収差と、前記波長λ２の光速が前記第２の光記録媒体に集光する際に生じる収差とを補償するために、光軸を中心とする同心円状の輪帯構造を有し、前記波長λ１のレーザ光を前記第１の光記録媒体の情報記録面上に集光させ、かつ、前記波長λ２のレーザ光を前記第２の光記録媒体の情報記録面上に集光させる共用領域と、前記共用領域の周辺に位置し、前記波長λ１のレーザ光を前記第１の光記録媒体の情報記録面上に集光させる専用領域とを有している対物レンズとを有する光ディスク装置であって、前記対物レンズは、前記専用領域内に位置する輪帯構造における、前記対物レンズと前記光軸との交点を有する区間との位相シフト量が、波長の５倍以上１０倍以下であるであることを特徴とするものである。この光ディスク装置においては、斜入射による光スポットの特性の悪化を低減することが可能であるため、光モジュールを用いた互換型光ディスク装置を提供できる。
【００１２】
本発明の第７の態様に係る光ディスク装置は、上述の光ディスク装置であって、前記第１のレーザと前記第２のレーザは、一つの光モジュール内に設けられることを特徴とするものである。この光モジュールを用いることによって、光ディスク装置においてスペースの効率化をはかることができる。本発明の第８の態様に係る光ディスク装置は、上述の光ディスク装置であって、前記第１のレーザと前記第２のレーザとを前記対物レンズの光軸に対して垂直な方向に並列して配置することを特徴とするものである。本発明の第９の態様に係る光ディスク装置は、第６の態様又は第７の態様に係る光ディスク装置であって、前記第１のレーザを前記対物レンズの光軸上に配置することを特徴とするものである。本発明の第１０の態様に係る光ディスク装置は、上述の光ディスク装置であって、前記波長λ１は略６５５ｎｍであり、前記波長λ２は略７８５ｎｍであることを特徴とするものである。
【発明の効果】
【００１３】
本発明に係る対物レンズによれば、入射角度によって生じるスポット特性の悪化を低減し、斜入射においても良好なスポット特性を得ることができる。このことから、２つのレーザを１つのパッケージに組み込んだモジュールを用いた場合においても、斜入射におけるスポット特性の悪化を防ぐことができ、光ディスクの情報記録面に良好なスポットとして集光させることができる。
【発明を実施するための最良の形態】
【００１４】
以下、本発明を適用した具体的な実施の形態について、図面を参照しながら詳細に説明する。この実施の形態は、本発明を対物レンズ及びその対物レンズを用いた光ディスク装置に適用したものである。本実施の形態においては、ＣＤの光源とＤＶＤの光源とを搭載したモジュールを用いた場合を例として示している。なお、本実施の形態においては、２つの光源を用いているが、光源の数は本発明において２つとは限らない。
【００１５】
図１に、本実施の形態に係る光ディスク装置１の構成図を示す。モジュール１１の中には、波長λ１の第１のレーザ１２と波長λ２の第２のレーザ１３が搭載されている。例えば、第１のレーザ１２は、波長６６０ｎｍのレーザであり、ＤＶＤの情報記録面に集光するための光源である。また、第２のレーザ１３は、波長７９０ｎｍのレーザであり、ＣＤの情報記録面に集光するためのレーザである。また、図１に示されるモジュール１１においては、第１のレーザ１２と第２のレーザ１３とが光軸を挟んで対称的に配置されている。
【００１６】
第１のレーザ１２及び第２のレーザ１３から出射された光は、ハーフミラー１４を通り、コリメートレンズ１５に入射される。そして、コリメートレンズ１５に入射された光は平行光に変換されて、制限開口１６を通り対物レンズ１７に入射される。対物レンズ１７に入射された光は、対物レンズ１７によって光ディスク１８に集光される。図１における光ディスク１８は、ＣＤ１８ａとＤＶＤ１８ｂで示されている。また、光ディスク１８から反射した光は、対物レンズ１７、及びコリメートレンズ１５を通過し、ハーフミラー１４によって反射される。ハーフミラー１４を反射した光は、検出レンズ１９を通り光検出器２０に入射され、光強度が検出される。
【００１７】
制限開口１６は、コリメートレンズ１５の実効開口数を決定する。また、制限開口１６は、光源から照射する対象に応じて開口数を変化させている。すなわち、光ディスク１８がＤＶＤである場合は、コリメートレンズ１５の実効開口数が０．６５となるように制限開口１６が動作する。また、光ディスク１８がＣＤである場合は、コリメートレンズ１５の実行開口数が０．５１になるように制限開口１６が動作する。ここで、実効開口数は、有効径／（２×焦点距離）で表される。制限開口１６としては、例えば光学フィルタ膜や回折格子を用いて、開口数を調整した波長選択フィルタを用いればよい。
【００１８】
図２に、対物レンズ１７付近における拡大図を示している。図２においては、第１のレーザ１２と第２のレーザ１３からの光線も示している。また、一点差線は光軸を示している。コリメートレンズ１５において、第１のレーザ１２と第２のレーザ１３とから出射された光を平行光に変換しているが、第１のレーザ１２と第２のレーザ１３とが光軸上に配置されていないために、コリメートレンズ１５で平行になった光は、光軸と平行な光にはならない。そのため、光軸と第１のレーザ１２と第２のレーザ１３からの光とで角度が生じる。この角度が対物レンズ１７に対する入射角度となる。
【００１９】
次に、本実施の形態に係る対物レンズ１７について説明する。本実施の形態に係る対物レンズ１７の構造図を図３に示す。対物レンズ１７は、レーザビームを光ディスク１８の情報記録面に集光する役割を果たす素子である。図３に示したように、対物レンズ１７の光が入射される側は、輪帯状の段差構造を形成した不連続な非球面形状にしている。この不連続な非球面形状は、ＤＶＤとＣＤとの記録再生時の波面収差を極力抑えるように決定される。このときに、この段差構造における位相シフト量を制御することによって、波面収差を軽減している。
【００２０】
また、対物レンズ１７は、２つの領域に分けられる。対物レンズ１７と光軸との交点を含むＤＶＤ／ＣＤ共通使用領域と、ＤＶＤ／ＣＤ共通使用領域の周りに位置する輪状のＤＶＤ専用領域である。ＤＶＤ／ＣＤ共通使用領域は、ＤＶＤの光源からの光をＤＶＤの情報記録面に集光し、かつＣＤの光源からの光をＣＤの情報記録面に集光する領域であり、ＤＶＤ専用領域は、ＤＶＤの光源からの光をＤＶＤの情報記録面に集光する領域である。
【００２１】
一つのモジュール１１の光源を用いた光ディスク装置においては、光軸上にモジュール１１内の２つのレーザ１２、１３を配置することは不可能である。また、ＤＶＤのほうがＣＤよりもトラックピッチが狭いために、よりスポット特性の良い光を必要とする。そのため、ＤＶＤ用の第１のレーザ１２を光軸上に配置し、ＣＤ用の第２のレーザ１３を光軸から外した位置に配置することが一般的である。光軸から外れた位置に光源がある場合、光軸と平行な光として対物レンズに入射されないため、斜入射による波面収差が生じてしまう。また、そのときのスポット特性は平行光を入射したときに比べて悪化したものとなる。
【００２２】
そこで、本実施の形態に係る対物レンズ１７において、ＤＶＤ専用領域内に位置する非球面形状における、基準レンズ面との位相シフト量が、波長の５倍以上１０倍以下であるとしている。ここでいう基準レンズ面とは、対物レンズ１７と光軸との交点を含む、対物レンズの区間におけるレンズ面である。また、ＤＶＤ専用領域内に位置する非球面形状は、基準レンズ面よりも対物レンズ１７の内側方向に凹んだ形状となっている。このような形状にすることによって、斜入射によるスポット特性の悪化を低減させることができる。
【００２３】
以下、本実施の形態における対物レンズ１７の面形状の一例について説明する。まず、本実施例の対物レンズ１７の光入射面Ａの面形状を説明する。本実施例の対物レンズ１７における光入射面である面Ａを光軸から半径方向に複数の区間に区分し、夫々の区間の面形状を、ＤＶＤ，ＣＤともに収差が許容値内に良好に低減されるように設定している。
【００２４】
対物レンズ１７の光入射面Ａの光線高さｈ方向（半径方向）の光軸側からｊ番目の区間での点ａ，ｂ間の距離を次の関数ＺＡｊで、即ち、
【数１】
2007273060.tif 000003
で表わされる。なお、数１での光源高さｈは、ｊ番目の区間でのものである。
【００２５】
そして、ＤＶＤ，ＣＤともに収差を許容値内に良好に低減するための数１での区間毎に、その範囲(ｈの範囲）とその各定数Ｂ，Ｃ，Ｋ，Ａ４，Ａ６，Ａ８，Ａ１０，Ａ１２，Ａ１４，Ａ１６を示すと、次の表１に示すようになる。
【表１】
2007273060.tif 000004
また、この本実施例での光出射面Ｂの面形状ＺＢは、次の数２で表わされる。
【数２】
2007273060.tif 000005
但し、Ｃ＝−０．１６９８５０１、Ｋ＝１．７１１４２８、Ａ４＝０．０２１１７７５２、Ａ６＝−０．００５００５１７１、Ａ８＝０．０００７３８５７５２、Ａ１０＝−０．００００４１５６３２０である。
【００２６】
また、対物レンズ１の光軸上の面頂点ｆ，ｅ間の距離、即ち、中心厚さｔ０は２．２０００００ｍｍであって、波長λ１＝６５５ｎｍ（ＤＶＤ）での屈折率ｎは１．４８９２４０であり、波長λ２＝７９０ｎｍ（ＣＤ）での屈折率ｎは１．４８５９８４である。
【００２７】
また、透明基板の厚さと屈折率は、波長λ１＝６５５ｎｍ（ＤＶＤ）では、厚み０．６ｍｍで屈折率１．５７９９５０であり、波長λ２＝７９０ｎｍ（ＣＤ）では厚み１．２ｍｍで屈折率は１．５７３０７１である。また、ＤＶＤ時のＮＡは０．６０で、ＣＤ時のＮＡは０．４７である。またＤＶＤ時の焦点距離は３．３６０ｍｍで、ＣＤ時の焦点距離は３．３８３ｍｍである。入射平行光束の絞りについては、ＤＶＤ用の絞りのみ（図示しない）であってその絞り直径＝２×ＮＡ×焦点距離であって、その値はφ４．０３２である。
【００２８】
ＣＤ時でも絞り径はφ４．０３２のままである。よって、ＣＤでの光入射面での使用領域はＤＶＤ／ＣＤ共通使用領域である第１〜第６区間までであるのでφ３．１７８７３２であるにもかかわらず、φ４．０３２の光が入射することになる。よって、φ３．１７８７３２〜φ４．０３２の領域はＤＶＤ専用領域であるにもかかわらず、ＣＤの時にも光線が入射されるため、この部分の光がＣＤの時に有害な光として作用しないようにする必要があり、それが有害に作用していないことは、以下に示す図によって明らかである。
【００２９】
ここで、本実施の形態に係る対物レンズ１７において、斜入射によるスポット特性の悪化を低減していることを示すために、ＤＶＤ用のレーザを光軸上に配置し、ＣＤ用のレーザを光軸から外した位置に配置した光学系における、ＣＤ用のレーザのスポット特性を示す。
【００３０】
光スポットは、図４に示すような光分布をしている。横軸が位置を示し、縦軸が光強度である。縦軸の光強度は、ピーク強度を１にするように規格化されている。図４に示されるように、ピークからの距離が長くなるに従って光強度が弱くなっており、ある位置において光強度が極小となり略０の光強度となる。この極小点からさらにピークからの距離が長くなると、サイドローブと呼ばれる高次項の光強度が存在する。このピークを含む極小点と極小点との間を０次スポットとよぶ。また、０次スポットの周りにできるサイドローブ領域を１次リングと呼ぶ。
【００３１】
光スポット特性は、三つのパラメータから特徴づけられている。一つ目は、０次スポット内の総光量である０次光量である。この０次光量はこの光スポットの光強度に相当する。０次光量が大きい光スポットにおいては、光ディスクに照射されたときに生じる信号強度を大きくすることができるため、より０次光量の大きい光スポットを用いるほうがＳ／Ｎ比（シグナル／ノイズ比）の高い良好な信号を得ることができる。
【００３２】
二つ目のパラメータは、光スポットの広がりを示す１／ｅ２スポット径（ｅ：ネイピア数（≒２．７１８２８））である。スポットの光ピーク強度の１／ｅ２（≒１３．５％）の光強度を持つ二点ＡＢ間の距離を、この光スポットのスポット径としている。この１／ｅ２スポット径は、以下の式で表される。
１／ｅ２スポット径＝０．８２×λ／ＮＡ・・・（１）
（１）式においてＮＡは開口数であり、λはそのスポットの光の波長である。（１）式に示されるようにスポット径は波長に比例し、ＮＡに反比例する。
【００３３】
この１／ｅ２スポット径が小さいほど、集光したときにできるスポットが小さい光スポットである。径の小さいスポットのほうが、光ディスクの情報記録面において光が照射される領域が小さくなるため、良好な解像度を得ることができる。
【００３４】
三つ目のパラメータは、１次リング内のピークにおける光強度に対する０次スポット内のピークにおける光強度の割合であるサイドローブ特性である。サイドローブ特性が小さい光スポットのほうが良好な光スポットであるといえる。これは、光ディスクに光を集光した場合に、光ディスクの情報記録面を反射して得られる信号内には、１次リングにおいて照射された位置の光ディスクから反射された光がノイズとして入ってしまう。そのため、サイドローブ特性が大きい光スポットにおいては、ノイズの大きい信号を生じさせてしまうことになる。そのため、サイドローブ特性が小さい光スポットのほうが、良好な光スポットと考えられる。
【００３５】
本実施の形態に係る光ヘッドの対物レンズにおける光スポット特性を観測するために、上述の三つのパラメータにおいて、本実施の形態に係る対物レンズ（Ａレンズとする。）と比較対象の対物レンズ（Ｂレンズとする。）とにおける比較を行った。Ｂレンズは、比較対象として、基準レンズ面との位相シフト量が、波長の５倍以上１４倍以下である対物レンズを用いている。すなわち、Ａレンズは、基準レンズ面との位相シフト量が波長の１０倍より大きく１４倍以下である段差を有していない。この二つの対物レンズにおいて、上述の二つのパラメータにおける入射角度依存性の測定を行った。
【００３６】
まず、ＡレンズとＢレンズとにおける、０次光量の入射角度依存性の表を図５（ａ）に示す。この表を基づいてプロットしたグラフを図５（ｂ）に示す。図５（ｂ）における横軸は入射角度であり、縦軸が光強度である。縦軸の光強度は、入射光量に対する０次光量の割合で示している。
【００３７】
図５（ｂ）に示されるように、Ｂレンズにおいては、入射角度が０度における０次光量が６２．５５％であるのに対して、０．５度では６１．２２％、１度においては５８．７３％である。それに対してＡレンズでは、入射角度が０度における０次光量が６２．２７％であるのに対して、０．５度では６１．５５％、１度においては５９．８０％である。このことから、比較対象の対物レンズと比較して、本実施の形態に係る対物レンズは、入射角度が大きくなっても０次光量の減衰が小さいことがわかる。つまり、本実施の形態に係る対物レンズは、斜入射に対して０次光量が落ちない設計であることがわかる。
【００３８】
次に、ＡレンズとＢレンズとにおけるサイドローブ特性の入射角度依存性の表を図６（ａ）に示す。この表に基づいてプロットしたグラフを図６（ｂ）に示す。Ａレンズにおいては、入射角度が０度におけるサイドローブ特性が１．５１％であるのに対して、０．５度では３．０９％、１度では５．０５％である。それに対して、Ｂレンズにおいては、入射角度が０度におけるサイドローブ特性が１．６１％であるのに対して、０．５度では３．６２％、１度では６．７８％である。このことから、比較対象の対物レンズと比較して、本実施の形態に係る対物レンズは、入射角度が大きくなっても、サイドローブ特性の増大を小さく抑えることができる。つまり、本実施の形態に係る対物レンズは、斜入射に対してサイドローブ特性が増大しない設計であることがわかる。
【００３９】
さらに、ＡレンズとＢレンズとにおける１／ｅ２スポット径の入射角度依存性の表を図７（ａ）に示す。この表に基づいてプロットしたグラフを図７（ｂ）に示す。Ａレンズにおいては、入射角度が０度における１／ｅ２スポット径が１．２５１μｍであるのに対して、０．５度では１．２６８μｍ、１度では１．２９３μｍである。それに対して、Ｂレンズにおいては、入射角度が０度における１／ｅ２スポット径が１．２５８μｍであるのに対して、０．５度では１．２７３μｍ、１度では１．３２８μｍである。このことから、比較対象の対物レンズと比較して、本実施の形態に係る対物レンズは、入射角度が大きくなっても、１／ｅ２スポット径の増大を小さく抑えることができる。つまり、本実施の形態に係る対物レンズは、斜入射に対してスポット径を増大させない設計であることがわかる。
【００４０】
以上のことから、光スポット特性を示す三つのパラメータにおいて、比較対象のＢレンズと比較してＡレンズは斜入射に対する変化量が小さいことがわかる。このことから、本実施の形態に係る対物レンズにおいては、斜入射に対してスポット特性の悪化を抑えていることができると考えられる。従って、本実施の形態に係る対物レンズを用いることによって、入射角度によって生じるスポット特性の悪化を低減し、斜入射においても良好なスポット特性を得ることができる。このことから、２つのレーザを１つのパッケージに組み込んだモジュールを用いた場合においても、斜入射におけるスポット特性の悪化を防ぐことができ、光ディスクの情報記録面に良好なスポットとして集光させることができる。
【００４１】
なお、本発明は上述した実施の形態のみに限定されるものではなく、本発明の要旨を逸脱しない範囲において種々の変更が可能であることは勿論である。また、本実施の形態においては、第１のレーザと第２のレーザとを有する光モジュールを用いたが、本発明は、光モジュールを用いた場合に限定されない。
【図面の簡単な説明】
【００４２】
【図１】実施の形態１に係る光ディスク装置の構成図である。
【図２】図１における対物レンズ付近における拡大図である。
【図３】実施の形態１に係る対物レンズの構造図である。
【図４】光スポットにおける光分布図である。
【図５】ＡレンズとＢレンズとにおける、０次光量の入射角度依存性である。
【図６】ＡレンズとＢレンズとにおける、サイドローブ特性の入射角度依存性である。
【図７】ＡレンズとＢレンズとにおける、１／ｅ２スポット径の入射角度依存性である。
【符号の説明】
【００４３】
１  光ディスク装置
１１  モジュール  １２  第１のレーザ  １３  第２のレーザ  １４  ハーフミラー
１５  コリメートレンズ  １６  制限開口  １７  対物レンズ  １８  光ディスク
１９  検出レンズ  ２０  光検出器
【図１】
2007273060.tif 000006
【図２】
2007273060.tif 000007
【図３】
2007273060.tif 000008
【図４】
2007273060.tif 000009
【図５】
2007273060.tif 000010
【図６】
2007273060.tif 000011
【図７】
2007273060.tif 000012